(57)【要約】  実施形態に係る電子機器は、光ディスクを収納する筐体を備える。筐体は、光ディスクを収納する収納空間と、収納空間と隔てられており、ピックアップ部を制御する第１電子部品が配置される第１内部空間と、第１内部空間から収納空間へ繋がる吸気流路と、収納空間から第１内部空間とは異なる所定空間へ繋がる排気流路とを備える。
2010079732.tif 000002
【特許請求の範囲】
【請求項１】
光ディスクを収納する筐体を備え、
前記筐体は、
光ディスクを収納する収納空間と、
前記収納空間に設けられ、前記光ディスクを保持する共に、当該光ディスクを回転させる回転保持部と、
前記収納空間に可動に設けられ、前記光ディスクの記録データを読み取るピックアップ部と、
前記収納空間と隔てられており、前記ピックアップ部を制御する第１電子部品が配置される第１内部空間と、
前記第１内部空間から前記収納空間へ繋がる吸気流路と、
前記収納空間から前記第１内部空間とは異なる所定空間へ繋がる排気流路と、
を備える電子機器。
【請求項２】
前記収納空間において、前記吸気流路は、前記排気流路よりも前記回転保持部に近接して開口する、請求項１に記載の電子機器。
【請求項３】
前記収納空間と隔てられており、第２電子部品が配置される第２内部空間と、
前記第１内部空間と前記第２空間とを隔てる壁部と、
を備えており、
前記所定空間は、前記第２内部空間である、
請求項１又は２に記載の電子機器。
【請求項４】
前記第１電子部品は、前記第２電子部品よりも所定期間における平均的な発熱量が大きい、
請求項３に記載の電子機器。
【請求項５】
前記所定空間は、前記筐体の外部空間である、
請求項１又は２に記載の電子機器。
【請求項６】
前記排気流路と前記外部空間とに連通するダクトを備え、
前記ダクトは、
前記光ディスクの回転によって空気が流される方向に沿って形成される、
請求項５に記載の電子機器。
【請求項７】
前記排気流路と前記回転保持部の中心とを結ぶ線と、前記ピックアップ部と前記回転保持部の中心とを結ぶ線とがなす角は、鈍角である、
請求項１に記載の電子機器。
【請求項８】
前記収納空間に設けられ、前記回転保持部に保持される前記光ディスクと対向する載置部と、
前記載置部の一部を凹ませることによって形成され、前記排気流路に連なる導流部と、
を備える、
請求項１に記載の電子機器。
【発明の詳細な説明】
【技術分野】
【０００１】
本発明は、光ディスク情報を読み取る電子機器に関する。
【背景技術】
【０００２】
昨今、光ディスク情報を読み取る電子機器（例えば、ＤＶＤプレーヤー、ＤＶＤレコーダー、ＢＤプレーヤー、ＢＤレコーダーなど）の軽薄短小化が進められている。これにより、電子機器内部における設計自由度が小さくなったため、電子機器内部にファンやダクトを搭載するスペースを確保することは困難である。
そこで、特許文献１及び特許文献２では、光ディスクの回転によって発生する旋回流を利用することで、ファンを用いずに光ディスクが収納される収納空間の放熱を促す手法が提案されている。旋回流とは、光ディスクの直下において、光ディスクの中心部から外周部に向かって遠心力で旋回される空気の流れのことである。光ディスクの回転速度が２０００〜５０００rpmと非常に高速で回っている事を考えると、旋回流を利用することは有用である。
【先行技術文献】
【特許文献】
【０００３】
【特許文献１】特開２００４−２４１０２４号公報
【特許文献２】特開２００１−１５５４７９号公報
【発明の概要】
【０００４】
（発明が解決しようとする課題）
しかしながら、特許文献１及び特許文献２では、電子機器内部の全体的な放熱については考慮されていない。そのため、収納空間以外の内部空間に配置される電子部品（例えば、電源やＩＣチップなど）の放熱を効率的に促すことができない。
そこで、本発明は、上述の状況に鑑みてなされたものであり、電子機器内部の全体的な放熱を促すことができる電子機器を提供することを目的とする。
（課題を解決するための手段）
本発明の特徴に係る電子機器は、光ディスクを収納する筐体を備える。筐体は、光ディスクを収納する収納空間と、収納空間に設けられ、光ディスクを保持する共に、光ディスクを回転させる回転保持部と、収納空間に可動に設けられ、光ディスクの記録データを読み取るピックアップ部と、収納空間と隔てられており、ピックアップ部を制御する第１電子部品が配置される第１内部空間と、第１内部空間から収納空間へ繋がる吸気流路と、収納空間から第１内部空間とは異なる所定空間へ繋がる排気流路とを備える。
【０００５】
（発明の効果）
本発明の電子機器によれば、電子機器内部の全体的な放熱を促すことができる。
【図面の簡単な説明】
【０００６】
【図１】本実施の形態に係る再生機器を示す斜視図
【図２】本実施の形態に係る再生機器の第２筐体を示す斜視図
【図３Ａ】蓋が取り外された第２筐体を示す斜視図
【図３Ｂ】蓋が取り外された第２筐体を示す正面図
【図４Ａ】第２筐体の内部を示す斜視図
【図４Ｂ】第２筐体の内部を示す正面図
【図５】収納部の部分拡大図
【図６Ａ】吸気流路から第１排気流路への風の流れを説明する模式図
【図６Ｂ】吸気流路から第２排気流路への風の流れを説明する模式図
【図７】第２筐体を上方から見たときの模式図
【発明を実施するための形態】
【０００７】
本発明の一実施の形態について、図面を用いて説明する。本実施の形態に係る再生機器は、光ディスク情報を読み取る電子機器の一例である。
図１は、本実施の形態に係る再生機器１を示す斜視図である。図２は、本実施の形態に係る再生機器１の第２筐体３を示す斜視図である。図３Ａは第２筐体３において、光ディスクを収納する収納部３１の蓋３２が取り外された状態を示す斜視図であり、図３Ｂはその正面図である。図４Ａは第２筐体３の内部構成示す斜視図であり、図４Ｂはその正面図である。図５は、収納部３１の部分拡大図である。
なお、本実施の形態において、図３Ｂに示すｚ軸の正の方向（収納される光ディスクの情報記録面と反対面側の方向）を上方、ｚ軸の負の方向（搭載される光ディスクの情報記録面側の方向）を下方と呼ぶ。
＜１．再生機器１の構成の概略説明＞
図１及び図２に示すように、再生機器１は、第１筐体２、第２筐体３、脚部４、第１換気口５及び第２換気口６を有する。
【０００８】
第１筐体２と第２筐体３は、連結部２２で物理的に接続されている。第１筐体２と第２筐体３は、連結部２２を支点として可動である。また、第１筐体２と第２筐体３は、電気的に接続されている。
第１筐体２は、液晶モジュール２１を備えている。第２筐体３は、光ディスク（例えば、ＣＤ、ＤＶＤ、ＢＤなど）を収納する収納部３１と、収納部３１を覆う蓋３２と、を備えている。収納部３１は、蓋３２で覆われることによって、スピンドル機構３３で保持した光ディスクを収納する。光ディスクから読み出される記録情報は、第２筐体３から第１筐体２に伝送され、液晶モジュール２１に表示される。このような光ディスクから記録情報を読み出し、表示する構成については、従来技術であるため、詳細な説明を省略する。
脚部４は、第２筐体３を挟んで第１筐体２の反対側に設けられる。脚部４を開くことによって、再生機器１を立てた状態で使用できる。なお、脚部４は、図２〜図３Ｂにおいて省略されている。
【０００９】
第１換気口５及び第２換気口６は、第２筐体３の内部と第２筐体３の外部との間で換気を行うための開口である。第１換気口５及び第２換気口６は、吸気口としての機能と排気口としての機能とを有する。
＜２．第２筐体３の構成の具体的説明＞
第２筐体３は、収納した光ディスクから記録情報を読み出して、第１筐体２に出力可能である。第２筐体３は、図３に示すように、光ディスクを収納する収納部３１と、第２筐体３の外装を構成する外装部３５と、を備えている。収納部３１と外装部３５は、一体的に形成されてもよいし、別々の部材で構成するようにしてもよい。
収納部３１は、図３Ａに示すように、光ディスクを収納する収納空間Ｐを形成する。収納部３１は、光ディスクを保持して回転させるスピンドル機構３３と、スピンドル機構３３によって回転された光ディスクから記録情報を読み出す光ピックアップ３４と、光ピックアップ３４を可動に支持するメカ部３６と、を有する。
【００１０】
スピンドル機構３３は、スピンドルモーター等を備えて構成される。光ピックアップ３４は、レーザー、検出器、ＰＢＳ、対物レンズ等で構成される。メカ部３６は、アクチュエータやドライブを有しており、光ピックアップ３４１軸方向において可動に支持する。
また、収納部３１は、スピンドル機構３３に保持される光ディスクと対向する載置部３１１と、スピンドル機構３３の外周に形成され、後述する第１内部空間Ｑに繋がる吸気流路３１２と、後述する第２内部空間Ｒに繋がる第１排気流路３１３と、第２筐体３（再生機器１）の外部空間に繋がる第２排気流路３１４と、を有する。
また、第２筐体３の内部は、以下のような構成となっている。図４に示すように、収納部３１の下方には、スピンドル機構３３及び光ピックアップ３４、メカ部３６を制御するためのＩＣチップ３８１と、再生機器１の電源を制御するための電源部品３８２とが設けられている。ＩＣチップ３８１は、スピンドル機構３３、光ピックアップ３４、メカ部３６と電気的に接続されている。
【００１１】
ＩＣチップ３８１は、収納部３１の外に形成される第１内部空間Ｑに配置される。収納空間Ｐと第１内部空間Ｑとは、載置部３１１及びメカ部３６によって隔てられている。また、電源部品３８２は、収納部３１の外において第１内部空間Ｑを取り囲むように形成される第２内部空間Ｒに配置される。第１内部空間Ｑと収納空間Ｐとは、吸気流路３１２によって連結されている。
また、電源部品３８２と光ピックアップ３４の間には、電源部品３８２の発火がメカ部３６まで延焼することを防止するために、リブ３８３が設けられている。リブ３８３は、難燃性の部材で構成されており、外装部３５の底面に突出して設けられる。
ここで、本実施の形態では、第１内部空間Ｑと第２内部空間Ｒとは、リブ３８３によって隔てられている。第２内部空間Ｒと収納空間Ｐとは、第１排気流路３１３によって連結されている。
【００１２】
ダクト３７は、図４Ａ及び図４Ｂに示すように、第２排気流路３１４と第２筐体３の外部空間とに連通する。ダクト３７は、外部空間に向かって形成される外装開口部３７１を有する。ダクト３７は、図５に示すように、光ディスクの回転によって空気が流される方向（すなわち、旋回流の進行方向）に沿って形成されている。つまり、ダクト３７において、図３Ｂ及び図４Ｂに示すように、外装開口部３７１は、ｘ方向において、第２排気流路３１４よりもスピンドル機構３３から離れている。これによって、旋回流の流れに逆らわずに、空気が排出されるので、より効率的に放熱を促すことができる。なお、旋回流とは、光ディスクの回転によって発生する空気の流れである。空気は、載置部３１１と光ディスクとの間を、スピンドル機構３３から径方向外向きに旋回しながら流れる（図６Ａ及び図６Ｂ参照）。
【００１３】
また、載置部３１１は、第１排気流路３１３および第２排気流路３１４に旋回流を導く導流部３１５を有する。導流部３１５は、載置部３１１のうち第１排気流路３１３及び第２排気流路３１４の開口部に連なる領域である。導流部３１５は、図５に示すように、載置部３１１の一部を下方に凹ませることによって形成される。よって、第１排気流路３１３および第２排気流路３１４の開口を、導流部３１５が無い場合に比べてより大きく形成することができる。また、導流部３１５は、緩やかに傾斜する境界部３１６を介して凹ませることが好ましい。このようにすれば、旋回流が境界部３１６で渦を発生させることを抑制できるので、旋回流をより滑らかに旋回させることができる。結果として、より効率的に放熱を促すことができる。
また、導流部３１５には、凸部３１７が形成されている。凸部３１７は、積載される光ディスクの情報記録面の外周に対向する位置に形成される。導流部３１５を形成した場合、光ディスク積載時に光ディスクに押圧が加わると、境界部３１６で情報記録面に傷を入れてしまう恐れがある。凸部３１７は、光ディスク押圧された場合に外周と接することで、境界部３１６と光ディスクの情報記録面とが接することを防ぐ。つまり、凸部３１７は、境界部３１６で光ディスクの情報記録面に傷を入れてしまう恐れを低減する。
【００１４】
また、図５に示すように、収納部３１の内壁面には、第２内部空間Ｒに繋がる複数の第３排気流路３１８が形成されている。従って、収納空間Ｐと第２内部空間Ｒとは、第１排気流路３１３だけでなく、複数の第３排気流路３１８によっても連結されている。
＜３．第２筐体３の動作時における風の流れ＞
第２筐体３が光ディスクを回転させた際に発生する風の流れを説明する。
図６Ａ及び図６Ｂそれぞれは、風の流れを説明するための、再生機器１の断面模式図である。なお、図６Ａ及び図６Ｂそれぞれは、理解を容易にするため概略構成だけを模式的に表している。図６Ａは、吸気流路３１２から第１排気流路３１３への風の流れを説明する模式図である。また、図６Ｂは、吸気流路３１２から第２排気流路３１４への風の流れを説明する模式図である。
【００１５】
図６Ａにおいて、光ディスクＤが回転すると、ＩＣチップ３８１が配置される第１内部空間Ｑから吸気流路３１２を介して収納空間Ｐ（具体的には、載置部３１１と光ディスクＤとの間）に空気が吸気される。この空気の流れを、図中、矢印Ａ１で示す。吸気流路３１２から吸気された空気は、光ディスクＤの回転によって発生する遠心力による旋回流となる。この旋回流は、光ディスクＤの回転方向と同方向に旋回しながら、光ディスクＤの内側から外側に流れる。この空気の流れを、図中、矢印Ａ２で示す。吸気流路３１２から吸気された空気は旋回流に乗って、導流部３１５上を流れて第１排気流路３１３に流れ込む。第１排気流路３１３に流れ込んだ空気は、第２内部空間Ｒへ流れ込み、第２内部空間Ｒ内の熱を拡散させる。この空気の流れを、図中、矢印Ａ３で示す。
上述したような空気の流れにより、第１内部空間Ｑの空気と第２内部空間Ｒの空気とを効率的に拡散させることができる。すなわち、再生機器１内部に発生するヒートスポットを減らす事ができるので、再生機器１内部の放熱を効率的に促すことができる。
【００１６】
図６Ｂにおいて、光ディスクＤが回転すると、第１内部空間Ｑから吸気流路３１２を介して収納空間Ｐに空気が吸気される。この空気の流れを、図中、矢印Ｂ１で示す。吸気流路３１２から吸気された空気は、光ディスクＤの回転によって発生する遠心力による旋回流となる。この旋回流は、光ディスクＤの回転方向と同方向に旋回しながら、光ディスクＤの内側から外側に流れる。この空気の流れを、図中、矢印Ｂ２で示す。吸気流路３１２から吸気された空気は旋回流に乗って、導流部３１５上を流れて第２排気流路３１４に流れ込む。第２排気流路３１４に流れ込んだ空気は、ダクト３７を流れて外部空間へ排気される。この空気の流れを、図中、矢印Ｂ３で示す。
上述したような空気の流れにより、第１内部空間Ｑの空気を第２筐体３の外部空間へ効率的に排気することができる。従って、再生機器１内部の放熱を効率的に促すことができる。
【００１７】
本実施の形態の再生機器１においては、図６Ａおよび図６Ｂに示すような２つの空気の流れを同時に有する。なお、第２内部空間Ｒにおける熱拡散を重視する場合には、排気流路として第１排気流路３１３のみが形成されていても。また、第１内部空間Ｑにおける廃熱を重視する場合には、排気流路として第２排気流路３１４のみが形成されていてもよい。
ここで、図７は、空気の流れを説明するため、第２筐体３を上方から見たときの模式図である。収納空間Ｐにおいては、メカ部３６や光ピックアップ３４の近傍では、凹凸や隙間の影響で乱流が発しやすい。しかし、第１排気流路３１３および第２排気流路３１４は、スピンドル機構３３を挟んで光ピックアップ３４とは反対側に形成されている。より詳しくは、第１排気流路３１３または第２排気流路３１４は、収納部３１の上方からみて、第１排気流路３１３または第２排気流路３１４とスピンドル機構３３の中心とを結ぶ線と、光ピックアップ３４とスピンドル機構３３の中心とを結ぶ線とがなす角θが鈍角となる位置に形成される。言い換えると、第１排気流路または第２排気流路は、収納部３１の上方からみて、スピンドル機構３３の中心を通り、光ピックアップ３４とスピンドル機構３３の中心とを結ぶ線と直交する線Ｐを挟んで光ピックアップ３４の反対側に形成されている。従って、第１排気流路３１３および第２排気流路３１４は、乱流の影響を受けにくい場所に形成されているので、第１排気流路３１３および第２排気流路３１４から効率的に排気を行うことが出来る。
【００１８】
また、載置部３１１を導流部３１５において凹ませることによって、第１排気流路３１３および第２排気流路３１４をより大きく形成することができる。すなわち、排気の流量を増やすことが出来る。結果として、より効率的に放熱を促すことが出来る。
なお、本実施の形態において、ＩＣチップ３８１は、第１電子部品の一例である。また、電源部品３８２は、第２電子部品の一例である。また、リブ３８３は、壁部の一例である。
また、本実施の形態において、電源部品３８２よりもＩＣチップ３８１の方が、所定の期間における発熱量が大きくなる。このような場合、発熱量の大きいＩＣチップ３８１周辺から熱を吸気し、発熱量の小さい電源部品３８２に排気することができるので、熱量の平準化を図ることができる。これによって、本体内の電子部品の熱を効率的に放熱できる。
【産業上の利用可能性】
【００１９】
本発明の電子機器は、ＤＶＤプレーヤー、ＤＶＤレコーダー、ＢＤプレーヤー、ＢＤレコーダー等の光ディスクの情報を読み取る機器に適用することが可能である。
【符号の説明】
【００２０】
１    再生機器
２    第１筐体
３    第２筐体
４    脚部
５    第１換気口
６    第２換気口
２１    液晶モジュール
３１    収納部
３１１    載置部
３１２    吸気流路
３１３    第１排気流路
３１４    第２排気流路
３１８    第３排気流路
３１５    導流部
３１６    境界部
３１７    凸部  
３２    蓋
３３    スピンドル機構
３４    光ピックアップ
３５    外装部
３６    メカ部
３７    ダクト
３７１    外装開口部
３８１    ＩＣチップ
３８２    電源部品
３８３    リブ
Ｐ    収納空間
Ｑ    第１内部空間
Ｒ    第２内部空間
【図１】
2010079732.tif 000003
【図２】
2010079732.tif 000004
【図３Ａ】
2010079732.tif 000005
【図３Ｂ】
2010079732.tif 000006
【図４Ａ】
2010079732.tif 000007
【図４Ｂ】
2010079732.tif 000008
【図５】
2010079732.tif 000009
【図６Ａ】
2010079732.tif 000010
【図６Ｂ】
2010079732.tif 000011
【図７】
2010079732.tif 000012
【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
光ディスクを収納する筐体を備え、
前記筐体は、
光ディスクを収納する収納空間と、
前記収納空間に設けられ、前記光ディスクを保持する共に、当該光ディスクを回転させる回転保持部と、
前記収納空間に可動に設けられ、前記光ディスクの記録データを読み取るピックアップ部と、
前記収納空間と隔てられており、前記ピックアップ部を制御する第１電子部品が配置される第１内部空間と、
前記第１内部空間から前記収納空間へ繋がる吸気流路と、
前記収納空間から前記第１内部空間とは異なる所定空間へ繋がる排気流路と、
前記収納空間に設けられ、前記回転保持部に保持される前記光ディスクと対向する載置部と、
前記載置部の一部を凹ませることによって形成され、前記排気流路に連なる導流部と、
を備える電子機器。
【請求項２】
前記収納空間において、前記吸気流路は、前記排気流路よりも前記回転保持部に近接して開口する、請求項１に記載の電子機器。
【請求項３】
前記収納空間と隔てられており、第２電子部品が配置される第２内部空間と、
前記第１内部空間と前記第２空間とを隔てる壁部と、
を備えており、
前記所定空間は、前記第２内部空間である、
請求項１又は２に記載の電子機器。
【請求項４】
前記第１電子部品は、前記第２電子部品よりも所定期間における平均的な発熱量が大きい、
請求項３に記載の電子機器。
【請求項５】
前記所定空間は、前記筐体の外部空間である、
請求項１又は２に記載の電子機器。
【請求項６】
前記排気流路と前記外部空間とに連通するダクトを備え、
前記ダクトは、
前記光ディスクの回転によって空気が流される方向に沿って形成される、
請求項５に記載の電子機器。
【請求項７】
前記排気流路と前記回転保持部の中心とを結ぶ線と、前記ピックアップ部と前記回転保持部の中心とを結ぶ線とがなす角は、鈍角である、
請求項１に記載の電子機器。
【請求項８】
（削除）
【請求項９】
前記導流部は、緩やかに傾斜する境界部を介して前記載置部の一部を凹ませることによって形成される、
請求項１に記載の電子機器。
【請求項１０】
前記導流部は、収納される前記光ディスクの情報記録面の外周と対向する位置に形成される凸部を有する、
請求項１に記載の電子機器。
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
光ディスクを収納する筐体を備え、
前記筐体は、
光ディスクを収納する収納空間と、
前記収納空間に設けられ、前記光ディスクを保持する共に、当該光ディスクを回転させる回転保持部と、
前記収納空間に可動に設けられ、前記光ディスクの記録データを読み取るピックアップ部と、
前記収納空間と隔てられており、前記ピックアップ部を制御する第１電子部品が配置される第１内部空間と、
前記第１内部空間から前記収納空間へ繋がる吸気流路と、
前記収納空間から前記第１内部空間とは異なる所定空間へ繋がる排気流路と、
前記収納空間に設けられ、前記回転保持部に保持される前記光ディスクと対向する載置部と、
前記載置部の一部を凹ませることによって形成され、前記排気流路に連なる導流部と、
を備える電子機器。
【請求項２】
前記収納空間において、前記吸気流路は、前記排気流路よりも前記回転保持部に近接して開口する、請求項１に記載の電子機器。
【請求項３】
前記収納空間と隔てられており、第２電子部品が配置される第２内部空間と、
前記第１内部空間と前記第２空間とを隔てる壁部と、
を備えており、
前記所定空間は、前記第２内部空間である、
請求項１又は２に記載の電子機器。
【請求項４】
前記第１電子部品は、前記第２電子部品よりも所定期間における平均的な発熱量が大きい、
請求項３に記載の電子機器。
【請求項５】
前記所定空間は、前記筐体の外部空間である、
請求項１又は２に記載の電子機器。
【請求項６】
前記排気流路と前記外部空間とに連通するダクトを備え、
前記ダクトは、
前記光ディスクの回転によって空気が流される方向に沿って形成される、
請求項５に記載の電子機器。
【請求項７】
前記排気流路と前記回転保持部の中心とを結ぶ線と、前記ピックアップ部と前記回転保持部の中心とを結ぶ線とがなす角は、鈍角である、
請求項１に記載の電子機器。
【請求項８】
前記導流部は、緩やかに傾斜する境界部を介して前記載置部の一部を凹ませることによって形成される、
請求項１に記載の電子機器。
【請求項９】
前記導流部は、収納される前記光ディスクの情報記録面の外周と対向する位置に形成される凸部を有する、
請求項１に記載の電子機器。
【手続補正２】
【補正対象書類名】明細書
【補正対象項目名】全文
【補正方法】変更
【補正の内容】
【書類名】明細書
【発明の名称】電子機器
【技術分野】
【０００１】
本発明は、光ディスク情報を読み取る電子機器に関する。
【背景技術】
【０００２】
昨今、光ディスク情報を読み取る電子機器（例えば、ＤＶＤプレーヤー、ＤＶＤレコーダー、ＢＤプレーヤー、ＢＤレコーダーなど）の軽薄短小化が進められている。これにより、電子機器内部における設計自由度が小さくなったため、電子機器内部にファンやダクトを搭載するスペースを確保することは困難である。
そこで、特許文献１及び特許文献２では、光ディスクの回転によって発生する旋回流を利用することで、ファンを用いずに光ディスクが収納される収納空間の放熱を促す手法が提案されている。旋回流とは、光ディスクの直下において、光ディスクの中心部から外周部に向かって遠心力で旋回される空気の流れのことである。光ディスクの回転速度が２０００〜５０００rpmと非常に高速で回っている事を考えると、旋回流を利用することは有用である。
【先行技術文献】
【特許文献】
【０００３】
【特許文献１】特開２００４−２４１０２４号公報
【特許文献２】特開２００１−１５５４７９号公報
【発明の概要】
【０００４】
【発明が解決しようとする課題】
しかしながら、特許文献１及び特許文献２では、電子機器内部の全体的な放熱については考慮されていない。そのため、収納空間以外の内部空間に配置される電子部品（例えば、電源やＩＣチップなど）の放熱を効率的に促すことができない。
そこで、本発明は、上述の状況に鑑みてなされたものであり、電子機器内部の全体的な放熱を促すことができる電子機器を提供することを目的とする。
【課題を解決するための手段】
【０００５】
本発明の特徴に係る電子機器は、光ディスクを収納する筐体を備える。筐体は、光ディスクを収納する収納空間と、収納空間に設けられ、光ディスクを保持する共に、光ディスクを回転させる回転保持部と、収納空間に可動に設けられ、光ディスクの記録データを読み取るピックアップ部と、収納空間と隔てられており、ピックアップ部を制御する第１電子部品が配置される第１内部空間と、第１内部空間から収納空間へ繋がる吸気流路と、収納空間から第１内部空間とは異なる所定空間へ繋がる排気流路とを備える。
【発明の効果】
【０００６】
本発明の電子機器によれば、電子機器内部の全体的な放熱を促すことができる。
【図面の簡単な説明】
【０００７】
【図１】本実施の形態に係る再生機器を示す斜視図
【図２】本実施の形態に係る再生機器の第２筐体を示す斜視図
【図３】蓋が取り外された第２筐体を示す模式図
【図４】第２筐体の内部を示す模式図
【図５】収納部の部分拡大図
【図６】吸気流路から第１排気流路への風の流れを説明する模式図
【図７】第２筐体を上方から見たときの模式図
【発明を実施するための形態】
【０００８】
本発明の一実施の形態について、図面を用いて説明する。本実施の形態に係る再生機器は、光ディスク情報を読み取る電子機器の一例である。
図１は、本実施の形態に係る再生機器１を示す斜視図である。図２は、本実施の形態に係る再生機器１の第２筐体３を示す斜視図である。図３（ａ）は第２筐体３において、光ディスクを収納する収納部３１の蓋３２が取り外された状態を示す斜視図であり、図３（ｂ）はその正面図である。図４（ａ）は第２筐体３の内部構成示す斜視図であり、図４（ｂ）はその正面図である。図５は、収納部３１の部分拡大図である。
なお、本実施の形態において、図３（ｂ）に示すｚ軸の正の方向（収納される光ディスクの情報記録面と反対面側の方向）を上方、ｚ軸の負の方向（搭載される光ディスクの情報記録面側の方向）を下方と呼ぶ。
＜１．再生機器１の構成の概略説明＞
図１及び図２に示すように、再生機器１は、第１筐体２、第２筐体３、脚部４、第１換気口５及び第２換気口６を有する。
【０００９】
第１筐体２と第２筐体３は、連結部２２で物理的に接続されている。第１筐体２と第２筐体３は、連結部２２を支点として可動である。また、第１筐体２と第２筐体３は、電気的に接続されている。
第１筐体２は、液晶モジュール２１を備えている。第２筐体３は、光ディスク（例えば、ＣＤ、ＤＶＤ、ＢＤなど）を収納する収納部３１と、収納部３１を覆う蓋３２と、を備えている。収納部３１は、蓋３２で覆われることによって、スピンドル機構３３で保持した光ディスクを収納する。光ディスクから読み出される記録情報は、第２筐体３から第１筐体２に伝送され、液晶モジュール２１に表示される。このような光ディスクから記録情報を読み出し、表示する構成については、従来技術であるため、詳細な説明を省略する。
脚部４は、第２筐体３を挟んで第１筐体２の反対側に設けられる。脚部４を開くことによって、再生機器１を立てた状態で使用できる。なお、脚部４は、図２〜図３（ｂ）において省略されている。
【００１０】
第１換気口５及び第２換気口６は、第２筐体３の内部と第２筐体３の外部との間で換気を行うための開口である。第１換気口５及び第２換気口６は、吸気口としての機能と排気口としての機能とを有する。
＜２．第２筐体３の構成の具体的説明＞
第２筐体３は、収納した光ディスクから記録情報を読み出して、第１筐体２に出力可能である。第２筐体３は、図３に示すように、光ディスクを収納する収納部３１と、第２筐体３の外装を構成する外装部３５と、を備えている。収納部３１と外装部３５は、一体的に形成されてもよいし、別々の部材で構成するようにしてもよい。
収納部３１は、図３（ａ）に示すように、光ディスクを収納する収納空間Ｐを形成する。収納部３１は、光ディスクを保持して回転させるスピンドル機構３３と、スピンドル機構３３によって回転された光ディスクから記録情報を読み出す光ピックアップ３４と、光ピックアップ３４を可動に支持するメカ部３６と、を有する。
【００１１】
スピンドル機構３３は、スピンドルモーター等を備えて構成される。光ピックアップ３４は、レーザー、検出器、ＰＢＳ、対物レンズ等で構成される。メカ部３６は、アクチュエータやドライブを有しており、光ピックアップ３４１軸方向において可動に支持する。
また、収納部３１は、スピンドル機構３３に保持される光ディスクと対向する載置部３１１と、スピンドル機構３３の外周に形成され、後述する第１内部空間Ｑに繋がる吸気流路３１２と、後述する第２内部空間Ｒに繋がる第１排気流路３１３と、第２筐体３（再生機器１）の外部空間に繋がる第２排気流路３１４と、を有する。
また、第２筐体３の内部は、以下のような構成となっている。図４に示すように、収納部３１の下方には、スピンドル機構３３及び光ピックアップ３４、メカ部３６を制御するためのＩＣチップ３８１と、再生機器１の電源を制御するための電源部品３８２とが設けられている。ＩＣチップ３８１は、スピンドル機構３３、光ピックアップ３４、メカ部３６と電気的に接続されている。
【００１２】
ＩＣチップ３８１は、収納部３１の外に形成される第１内部空間Ｑに配置される。収納空間Ｐと第１内部空間Ｑとは、載置部３１１及びメカ部３６によって隔てられている。また、電源部品３８２は、収納部３１の外において第１内部空間Ｑを取り囲むように形成される第２内部空間Ｒに配置される。第１内部空間Ｑと収納空間Ｐとは、吸気流路３１２によって連結されている。
また、電源部品３８２と光ピックアップ３４の間には、電源部品３８２の発火がメカ部３６まで延焼することを防止するために、リブ３８３が設けられている。リブ３８３は、難燃性の部材で構成されており、外装部３５の底面に突出して設けられる。
ここで、本実施の形態では、第１内部空間Ｑと第２内部空間Ｒとは、リブ３８３によって隔てられている。第２内部空間Ｒと収納空間Ｐとは、第１排気流路３１３によって連結されている。
【００１３】
ダクト３７は、図４（ａ）及び図４（ｂ）に示すように、第２排気流路３１４と第２筐体３の外部空間とに連通する。ダクト３７は、外部空間に向かって形成される外装開口部３７１を有する。ダクト３７は、図５に示すように、光ディスクの回転によって空気が流される方向（すなわち、旋回流の進行方向）に沿って形成されている。つまり、ダクト３７において、図３（ｂ）及び図４（ｂ）に示すように、外装開口部３７１は、ｘ方向において、第２排気流路３１４よりもスピンドル機構３３から離れている。これによって、旋回流の流れに逆らわずに、空気が排出されるので、より効率的に放熱を促すことができる。なお、旋回流とは、光ディスクの回転によって発生する空気の流れである。空気は、載置部３１１と光ディスクとの間を、スピンドル機構３３から径方向外向きに旋回しながら流れる（図６（ａ）及び図６（ｂ）参照）。
【００１４】
また、載置部３１１は、第１排気流路３１３および第２排気流路３１４に旋回流を導く導流部３１５を有する。導流部３１５は、載置部３１１のうち第１排気流路３１３及び第２排気流路３１４の開口部に連なる領域である。導流部３１５は、図５に示すように、載置部３１１の一部を下方に凹ませることによって形成される。よって、第１排気流路３１３および第２排気流路３１４の開口を、導流部３１５が無い場合に比べてより大きく形成することができる。また、導流部３１５は、緩やかに傾斜する境界部３１６を介して凹ませることが好ましい。このようにすれば、旋回流が境界部３１６で渦を発生させることを抑制できるので、旋回流をより滑らかに旋回させることができる。結果として、より効率的に放熱を促すことができる。
また、導流部３１５には、凸部３１７が形成されている。凸部３１７は、積載される光ディスクの情報記録面の外周に対向する位置に形成される。導流部３１５を形成した場合、光ディスク積載時に光ディスクに押圧が加わると、境界部３１６で情報記録面に傷を入れてしまう恐れがある。凸部３１７は、光ディスク押圧された場合に外周と接することで、境界部３１６と光ディスクの情報記録面とが接することを防ぐ。つまり、凸部３１７は、境界部３１６で光ディスクの情報記録面に傷を入れてしまう恐れを低減する。
【００１５】
また、図５に示すように、収納部３１の内壁面には、第２内部空間Ｒに繋がる複数の第３排気流路３１８が形成されている。従って、収納空間Ｐと第２内部空間Ｒとは、第１排気流路３１３だけでなく、複数の第３排気流路３１８によっても連結されている。
＜３．第２筐体３の動作時における風の流れ＞
第２筐体３が光ディスクを回転させた際に発生する風の流れを説明する。
図６（ａ）及び図６（ｂ）それぞれは、風の流れを説明するための、再生機器１の断面模式図である。なお、図６（ａ）及び図６（ｂ）それぞれは、理解を容易にするため概略構成だけを模式的に表している。図６（ａ）は、吸気流路３１２から第１排気流路３１３への風の流れを説明する模式図である。また、図６（ｂ）は、吸気流路３１２から第２排気流路３１４への風の流れを説明する模式図である。
【００１６】
図６（ａ）において、光ディスクＤが回転すると、ＩＣチップ３８１が配置される第１内部空間Ｑから吸気流路３１２を介して収納空間Ｐ（具体的には、載置部３１１と光ディスクＤとの間）に空気が吸気される。この空気の流れを、図中、矢印Ａ１で示す。吸気流路３１２から吸気された空気は、光ディスクＤの回転によって発生する遠心力による旋回流となる。この旋回流は、光ディスクＤの回転方向と同方向に旋回しながら、光ディスクＤの内側から外側に流れる。この空気の流れを、図中、矢印Ａ２で示す。吸気流路３１２から吸気された空気は旋回流に乗って、導流部３１５上を流れて第１排気流路３１３に流れ込む。第１排気流路３１３に流れ込んだ空気は、第２内部空間Ｒへ流れ込み、第２内部空間Ｒ内の熱を拡散させる。この空気の流れを、図中、矢印Ａ３で示す。
上述したような空気の流れにより、第１内部空間Ｑの空気と第２内部空間Ｒの空気とを効率的に拡散させることができる。すなわち、再生機器１内部に発生するヒートスポットを減らす事ができるので、再生機器１内部の放熱を効率的に促すことができる。
【００１７】
図６（ｂ）において、光ディスクＤが回転すると、第１内部空間Ｑから吸気流路３１２を介して収納空間Ｐに空気が吸気される。この空気の流れを、図中、矢印Ｂ１で示す。吸気流路３１２から吸気された空気は、光ディスクＤの回転によって発生する遠心力による旋回流となる。この旋回流は、光ディスクＤの回転方向と同方向に旋回しながら、光ディスクＤの内側から外側に流れる。この空気の流れを、図中、矢印Ｂ２で示す。吸気流路３１２から吸気された空気は旋回流に乗って、導流部３１５上を流れて第２排気流路３１４に流れ込む。第２排気流路３１４に流れ込んだ空気は、ダクト３７を流れて外部空間へ排気される。この空気の流れを、図中、矢印Ｂ３で示す。
上述したような空気の流れにより、第１内部空間Ｑの空気を第２筐体３の外部空間へ効率的に排気することができる。従って、再生機器１内部の放熱を効率的に促すことができる。
【００１８】
本実施の形態の再生機器１においては、図６（ａ）および図６（ｂ）に示すような２つの空気の流れを同時に有する。なお、第２内部空間Ｒにおける熱拡散を重視する場合には、排気流路として第１排気流路３１３のみが形成されていても。また、第１内部空間Ｑにおける廃熱を重視する場合には、排気流路として第２排気流路３１４のみが形成されていてもよい。
ここで、図７は、空気の流れを説明するため、第２筐体３を上方から見たときの模式図である。収納空間Ｐにおいては、メカ部３６や光ピックアップ３４の近傍では、凹凸や隙間の影響で乱流が発しやすい。しかし、第１排気流路３１３および第２排気流路３１４は、スピンドル機構３３を挟んで光ピックアップ３４とは反対側に形成されている。より詳しくは、第１排気流路３１３または第２排気流路３１４は、収納部３１の上方からみて、第１排気流路３１３または第２排気流路３１４とスピンドル機構３３の中心とを結ぶ線と、光ピックアップ３４とスピンドル機構３３の中心とを結ぶ線とがなす角θが鈍角となる位置に形成される。言い換えると、第１排気流路または第２排気流路は、収納部３１の上方からみて、スピンドル機構３３の中心を通り、光ピックアップ３４とスピンドル機構３３の中心とを結ぶ線と直交する線Ｐを挟んで光ピックアップ３４の反対側に形成されている。従って、第１排気流路３１３および第２排気流路３１４は、乱流の影響を受けにくい場所に形成されているので、第１排気流路３１３および第２排気流路３１４から効率的に排気を行うことが出来る。
【００１９】
また、載置部３１１を導流部３１５において凹ませることによって、第１排気流路３１３および第２排気流路３１４をより大きく形成することができる。すなわち、排気の流量を増やすことが出来る。結果として、より効率的に放熱を促すことが出来る。
なお、本実施の形態において、ＩＣチップ３８１は、第１電子部品の一例である。また、電源部品３８２は、第２電子部品の一例である。また、リブ３８３は、壁部の一例である。
また、本実施の形態において、電源部品３８２よりもＩＣチップ３８１の方が、所定の期間における発熱量が大きくなる。このような場合、発熱量の大きいＩＣチップ３８１周辺から熱を吸気し、発熱量の小さい電源部品３８２に排気することができるので、熱量の平準化を図ることができる。これによって、本体内の電子部品の熱を効率的に放熱できる。
【産業上の利用可能性】
【００２０】
本発明の電子機器は、ＤＶＤプレーヤー、ＤＶＤレコーダー、ＢＤプレーヤー、ＢＤレコーダー等の光ディスクの情報を読み取る機器に適用することが可能である。
【符号の説明】
【００２１】
１    再生機器
２    第１筐体
３    第２筐体
４    脚部
５    第１換気口
６    第２換気口
２１    液晶モジュール
３１    収納部
３１１    載置部
３１２    吸気流路
３１３    第１排気流路
３１４    第２排気流路
３１８    第３排気流路
３１５    導流部
３１６    境界部
３１７    凸部
３２    蓋
３３    スピンドル機構
３４    光ピックアップ
３５    外装部
３６    メカ部
３７    ダクト
３７１    外装開口部
３８１    ＩＣチップ
３８２    電源部品
３８３    リブ
Ｐ    収納空間
Ｑ    第１内部空間
Ｒ    第２内部空間
【手続補正３】
【補正対象書類名】図面
【補正対象項目名】全図
【補正方法】変更
【補正の内容】
【図１】
2010079732.tif 000013
【図２】
2010079732.tif 000014
【図３】
2010079732.tif 000015
【図４】
2010079732.tif 000016
【図５】
2010079732.tif 000017
【図６】
2010079732.tif 000018
【図７】
2010079732.tif 000019
【手続補正書】
【提出日】平成22年10月28日(2010.10.28)
【手続補正１】
【補正対象書類名】特許請求の範囲
【補正対象項目名】全文
【補正方法】変更
【補正の内容】
【特許請求の範囲】
【請求項１】
光ディスクを収納する収納空間が形成された収納部と、前記収納空間に設けられ前記光ディスクを保持するとともに光ディスクを回転させる回転保持部と、前記収納空間に可動可能に設けられ前記光ディスクの記録データを読み取るピックアップ部と、外装を構成する外装部とを備え、前記光ディスクの回転により前記収納空間内に空気の流れが発生する電子機器において、
前記外装部内の収納部の下方に形成されかつ前記ピックアップ部を制御する第１電子部品が配置される第１内部空間と、この第１内部空間とは壁部によって隔てられるとともに前記外装部内の収納部の下方に形成されかつ第２電子部品が配置される第２内部空間と、前記収納部に光ディスクと対向するように設けられ前記収納空間と第１内部空間とを隔てる載置部と、前記収納部に設けられ前記第１内部空間から収納空間へ繋がる吸気流路と、前記収納部に設けられ前記収納空間から第２内部空間に繋がる排気流路とを有し、
前記載置部は、前記排気流路の開口部に連なる領域を下方に凹ませることによって形成した導流部を備え、
前記光ディスクを回転させることにより、前記第１内部空間から吸気流路を介して収納空間に空気を吸気し、その吸気した空気を前記戴置部の導流部上を通じて排気流路に導き、前記排気流路を介して前記第２内部空間に流し込むように構成したことを特徴とする電子機器。
【請求項２】
前記第１電子部品は、前記第２電子部品よりも所定期間における発熱量が大きいものである請求項１に記載の電子機器。
【請求項３】
前記収納部は、収納空間と外部空間とを連通させる排気流路をさらに設けたことを特徴とする請求項１に記載の電子機器。
【請求項４】
前記導流部は、前記載置部の排気流路の開口部に連なる領域を緩やかに傾斜する境界部を介して下方に凹ませることによって形成したものである請求項１に記載の電子機器。
【手続補正２】
【補正対象書類名】明細書
【補正対象項目名】全文
【補正方法】変更
【補正の内容】
【書類名】明細書
【発明の名称】電子機器
【技術分野】
【０００１】
本発明は、光ディスク情報を読み取る電子機器に関する。
【背景技術】
【０００２】
昨今、光ディスク情報を読み取る電子機器（例えば、ＤＶＤプレーヤー、ＤＶＤレコーダー、ＢＤプレーヤー、ＢＤレコーダーなど）の軽薄短小化が進められている。これにより、電子機器内部における設計自由度が小さくなったため、電子機器内部にファンやダクトを搭載するスペースを確保することは困難である。
そこで、特許文献１及び特許文献２では、光ディスクの回転によって発生する旋回流を利用することで、ファンを用いずに光ディスクが収納される収納空間の放熱を促す手法が提案されている。旋回流とは、光ディスクの直下において、光ディスクの中心部から外周部に向かって遠心力で旋回される空気の流れのことである。光ディスクの回転速度が２０００〜５０００ｒｐｍと非常に高速で回っている事を考えると、旋回流を利用することは有用である。
【先行技術文献】
【特許文献】
【０００３】
【特許文献１】特開２００４−２４１０２４号公報
【特許文献２】特開２００１−１５５４７９号公報
【発明の概要】
【０００４】
【発明が解決しようとする課題】
しかしながら、特許文献１及び特許文献２では、電子機器内部の全体的な放熱については考慮されていない。そのため、収納空間以外の内部空間に配置される電子部品（例えば、電源やＩＣチップなど）の放熱を効率的に促すことができない。
そこで、本発明は、上述の状況に鑑みてなされたものであり、電子機器内部の全体的な放熱を促すことができる電子機器を提供することを目的とする。
【課題を解決するための手段】
【０００５】
本発明の電子機器は、光ディスクを収納する収納空間が形成された収納部と、前記収納空間に設けられ前記光ディスクを保持するとともに光ディスクを回転させる回転保持部と、前記収納空間に可動可能に設けられ前記光ディスクの記録データを読み取るピックアップ部と、外装を構成する外装部とを備え、前記光ディスクの回転により前記収納空間内に空気の流れが発生する電子機器において、前記外装部内の収納部の下方に形成されかつ前記ピックアップ部を制御する第１電子部品が配置される第１内部空間と、この第１内部空間とは壁部によって隔てられるとともに前記外装部内の収納部の下方に形成されかつ第２電子部品が配置される第２内部空間と、前記収納部に光ディスクと対向するように設けられ前記収納空間と第１内部空間とを隔てる載置部と、前記収納部に設けられ前記第１内部空間から収納空間へ繋がる吸気流路と、前記収納部に設けられ前記収納空間から第２内部空間に繋がる排気流路とを有し、前記載置部は、前記排気流路の開口部に連なる領域を下方に凹ませることによって形成した導流部を備え、前記光ディスクを回転させることにより、前記第１内部空間から吸気流路を介して収納空間に空気を吸気し、その吸気した空気を前記戴置部の導流部上を通じて排気流路に導き、前記排気流路を介して前記第２内部空間に流し込むように構成したことを特徴とする。
【発明の効果】
【０００６】
本発明の電子機器によれば、電子機器内部の全体的な放熱を促すことができる。
【図面の簡単な説明】
【０００７】
【図１】本実施の形態に係る再生機器を示す斜視図
【図２】本実施の形態に係る再生機器の第２筐体を示す斜視図
【図３】蓋が取り外された第２筐体を示す模式図
【図４】第２筐体の内部を示す模式図
【図５】収納部の部分拡大図
【図６】吸気流路から第１排気流路への風の流れを説明する模式図
【図７】第２筐体を上方から見たときの模式図
【発明を実施するための形態】
【０００８】
本発明の一実施の形態について、図面を用いて説明する。本実施の形態に係る再生機器は、光ディスク情報を読み取る電子機器の一例である。
図１は、本実施の形態に係る再生機器１を示す斜視図である。図２は、本実施の形態に係る再生機器１において、第１筐体２の部分を取り外した状態を示す斜視図である。図３（ａ）は第２筐体３側の部分において、光ディスクを収納する収納部３１の蓋３２を取り外した状態を示す斜視図であり、図３（ｂ）はその正面図である。図４（ａ）は第２筐体３内の内部構成を示す斜視図であり、図４（ｂ）はその正面図である。図５は、収納部３１の部分拡大図である。
なお、本実施の形態において、図３（ｂ）に示すｚ軸の正の方向（収納される光ディスクの情報記録面と反対面側の方向）を上方、ｚ軸の負の方向（搭載される光ディスクの情報記録面側の方向）を下方と呼ぶ。
＜１．再生機器１の構成の概略説明＞
図１及び図２に示すように、再生機器１は、第１筐体２を有する部分、第２筐体３を有する部分、脚部４、前記第２筐体３に設けた第１換気口５及び第２換気口６を有する。
【０００９】
第１筐体２は、第２筐体３に、連結部２２を支点として可動可能なように連結部２２で物理的に接続されている。また、第１筐体２は、液晶モジュール２１を備え、第２筐体３は、光ディスク（例えば、ＣＤ、ＤＶＤ、ＢＤなど）を備え、その第１筐体２の部分と第２筐体３の部分は、電気的に接続されている。さらに、第２筐体３は、光ディスク（例えば、ＣＤ、ＤＶＤ、ＢＤなど）を収納する収納部３１と、収納部３１を覆う蓋３２とを備えている。また、収納部３１には、スピンドル機構３３で保持した光ディスクが収納され、蓋３２で覆われる。そして、光ディスクから読み出された記録情報は、第１筐体２の液晶モジュール２１に伝送され、表示される。このような光ディスクから記録情報を読み出し、表示する構成については、従来技術であるため、詳細な説明を省略する。
脚部４は、図１に示すように、第２筐体３の第１筐体２とは反対側の面に設けられ、脚部４を開くことによって、再生機器１を立てた状態で使用できる。なお、図２〜図５においては、脚部４は省略している。
【００１０】
第１換気口５及び第２換気口６は、第２筐体３の内部と外部との間で換気を行うための開口である。第１換気口５及び第２換気口６は、吸気口としての機能と排気口としての機能とを有する。
＜２．第２筐体３の構成の具体的説明＞
第２筐体３は、図３に示すように、光ディスクを収納する収納空間Ｐが形成された収納部３１と、第２筐体３の外装を構成する外装部３５とを備えている。収納部３１と外装部３５は、一体的に形成されてもよいし、別々の部材で構成するようにしてもよい。
収納部３１には、光ディスクを保持して回転させるスピンドルモーター等で構成したスピンドル機構３３と、このスピンドル機構３３によって回転される光ディスクから記録情報を読み出すためのレーザー、検出器、ＰＢＳ、対物レンズ等で構成した光ピックアップ３４と、この光ピックアップ３４を可動可能に支持するアクチュエータやドライブで構成したメカ部３６とを有する。
【００１１】
また、収納部３１には、図３、図５に示すように、スピンドル機構３３により保持された光ディスクと対向する載置部３１１と、スピンドル機構３３の外周に形成され、後述する第１内部空間Ｑに繋がる吸気流路３１２と、後述する第２内部空間Ｒに繋がる第１排気流路３１３と、第２筐体３（再生機器１）の外部空間に繋がる第２排気流路３１４とが設けられている。
また、第２筐体３の内部の収納部３１の下方には、図４に示すように、前記スピンドル機構３３、光ピックアップ３４、及びメカ部３６を制御するためのＩＣチップ３８１と、再生機器１の電源を制御するための電源部品３８２とが設けられている。ＩＣチップ３８１は、スピンドル機構３３、光ピックアップ３４、メカ部３６と電気的に接続されている。
【００１２】
前記ＩＣチップ３８１は、図４、図６に示すように、収納部３１の下方に形成される外装部３５内の第１内部空間Ｑに配置されている。そして、前記収納部３１の収納空間Ｐと収納部３１の下方の第１内部空間Ｑとは、載置部３１１及びメカ部３６によって隔てられるとともに、吸気流路３１２によって連結されている。また、電源部品３８２は、収納部３１の下方において、前記第１内部空間Ｑを取り囲むように外装部３５内の形成される第２内部空間Ｒに配置されている。
また、電源部品３８２と光ピックアップ３４の間には、外装部３５の底面から突出するように、難燃性の部材で構成したリブ３８３が設けられている。
ここで、前記ＩＣチップ３８１が配置された第１内部空間Ｑと、前記電源部品３８２が配置された第２内部空間Ｒとは、リブ３８３によって隔てられ、そして前記第２内部空間Ｒと、前記収納部３１の光ディスクＤが収納される収納空間Ｐとは、第１排気流路３１３によって連結されている。
【００１３】
ダクト３７は、図４に示すように、前記収納部３１に設けた第２排気流路３１４と、第２筐体３の外装部３５に形成した外装開口部３７１を介して外部空間とを連通させるもので、ダクト３７は、図５に示すように、光ディスクの回転によって空気が流される方向、すなわち、旋回流の進行方向側に配置されている。また、図３（ｂ）、図４（ｂ）、図６（ｂ）に示すように、外装開口部３７１は、第２排気流路３１４よりもスピンドル機構３３から離れた位置に形成しており、旋回流の流れに逆らわずに、第２排気流路３１４、ダクト３７、外装開口部３７１の経路で空気が排出されるので、より効率的に放熱を促すことができる。なお、旋回流とは、光ディスクＤの回転によって発生する空気の流れで、図６に示すように、空気は、載置部３１１と光ディスクＤとの間から、スピンドル機構３３の径方向に外向きに旋回しながら流れる。
【００１４】
また、前記収納部３１の載置部３１１には、第１排気流路３１３及び第２排気流路３１４に旋回流を導く導流部３１５が設けられている。導流部３１５は、図５、図６に示すように、載置部３１１において、第１排気流路３１３及び第２排気流路３１４の開口部に連なる領域を下方に凹ませることによって形成されている。このように構成することによって、電源部品３８２を配置した第２内部空間Ｒに繋がる第１排気流路３１３と、第２筐体３の外部空間に繋がる第２排気流路３１４の開口は、導流部３１５が無い場合に比べてより大きく形成することができ、効率的な放熱を行うことができる。なお、導流部３１５は、緩やかに傾斜する境界部３１６を介して凹ませることが好ましい。このようにすれば、旋回流は、境界部３１６で渦を発生させることなく、滑らかに旋回するため、結果として、より効率的に放熱を促すことができる。
また、図５に示すように、導流部３１５には、凸部３１７が形成されている。この凸部３１７は、積載される光ディスクの情報記録面の外周に対向する位置に形成されている。前記収納部３１の載置部３１１に導流部３１５を形成した場合、光ディスク積載時に光ディスクに押圧力が加わると、境界部３１６が情報記録面にあたって傷を付けてしまう恐れがあるが、凸部３１７が光ディスクの外周と接するため、境界部３１６が光ディスクの情報記録面に接することを防ぐことができ、境界部３１６で光ディスクの情報記録面に傷を付けてしまうという恐れを低減することができる。
【００１５】
さらに、図５に示すように、収納部３１は、第２内部空間Ｒに繋がる複数の第３排気流路３１８を内壁面に形成しており、収納部３１の収納空間Ｐと、電源部品を配置した第２内部空間Ｒとは、第１排気流路３１３だけでなく、複数の第３排気流路３１８によっても連結されている。
＜３．第２筐体３の動作時における風の流れ＞
図６（ａ）、（ｂ）は、第２筐体３において、収納部３１に収納した光ディスクを回転させた際に発生する風の流れを説明する断面模式図である。なお、図６（ａ）、（ｂ）は、理解を容易にするため概略構成だけを模式的に表している。図６（ａ）は、吸気流路３１２から第１排気流路３１３への風の流れを説明する模式図である。また、図６（ｂ）は、吸気流路３１２から第２排気流路３１４への風の流れを説明する模式図である。
【００１６】
図６（ａ）において、光ディスクＤが回転すると、ＩＣチップ３８１が配置された第１内部空間Ｑから吸気流路３１２を介して収納空間Ｐ（具体的には、載置部３１１と光ディスクＤとの間）に空気が吸気される。この空気の流れを、図中、矢印Ａ１で示す。吸気流路３１２から吸気された空気は、光ディスクＤの回転によって発生する遠心力による旋回流となる。この旋回流は、光ディスクＤの回転方向と同方向に旋回しながら、光ディスクＤの内側から外側に流れる。この空気の流れを、図中、矢印Ａ２で示す。吸気流路３１２から吸気された空気は、旋回流に乗って、導流部３１５上を流れて第１排気流路３１３に流れ込む。第１排気流路３１３に流れ込んだ空気は、第２内部空間Ｒへ流れ込み、第２内部空間Ｒ内の熱を拡散させる。この空気の流れを、図中、矢印Ａ３で示す。
上述したような空気の流れにより、ＩＣチップ３８１が配置された第１内部空間Ｑ内の空気と、電源部品３８２が配置された第２内部空間Ｒ内の空気とを効率的に拡散させることができる。すなわち、再生機器１内部に発生するヒートスポットを減らすことができるので、再生機器１内部の放熱を効率的に促すことができる。
【００１７】
図６（ｂ）において、光ディスクＤが回転すると、ＩＣチップ３８１が配置された第１内部空間Ｑから吸気流路３１２を介して収納空間Ｐに空気が吸気される。この空気の流れを、図中、矢印Ｂ１で示す。吸気流路３１２から吸気された空気は、光ディスクＤの回転によって発生する遠心力による旋回流となる。この旋回流は、光ディスクＤの回転方向と同方向に旋回しながら、光ディスクＤの内側から外側に流れる。この空気の流れを、図中、矢印Ｂ２で示す。吸気流路３１２から吸気された空気は旋回流に乗って、導流部３１５上を流れて第２排気流路３１４に流れ込む。第２排気流路３１４に流れ込んだ空気は、ダクト３７を流れて、外装開口部３７１から外部空間へ排気される。この空気の流れを、図中、矢印Ｂ３で示す。
上述したような空気の流れにより、ＩＣチップ３８１が配置された第１内部空間Ｑの空気を第２筐体３の外部空間へ効率的に排気することができる。従って、再生機器１内部の放熱を効率的に促すことができる。
【００１８】
本実施の形態の再生機器１においては、図６（ａ）及び図６（ｂ）に示すような２つの空気の流れが同時に発生する。なお、電源部品３８２が配置された第２内部空間Ｒにおける熱拡散を重視する場合には、排気流路として第１排気流路３１３のみを形成し、ＩＣチップ３８１が配置された第１内部空間Ｑにおける廃熱を重視する場合には、排気流路として第２排気流路３１４のみを形成してもよい。
ここで、図７は、空気の流れを説明するために、第２筐体３を上方から見たときの模式図である。収納空間Ｐにおいては、メカ部３６や光ピックアップ３４の近傍では、凹凸や隙間の影響で乱流が発生しやすい。本発明においては、第１排気流路３１３及び第２排気流路３１４は、収納部３１の上方からみて、スピンドル機構３３の中心と光ピックアップ３４の中心とを結ぶ線に対して直交する線Ｐを挟んで光ピックアップ３４の反対側に形成されている。より詳しくは、第１排気流路３１３または第２排気流路３１４は、収納部３１の上方からみて、第１排気流路３１３または第２排気流路３１４とスピンドル機構３３の中心とを結ぶ線と、光ピックアップ３４とスピンドル機構３３の中心とを結ぶ線とがなす角θが鈍角となる位置に形成されている。従って、第１排気流路３１３及び第２排気流路３１４は、乱流の影響を受けにくい場所に形成されているため、第１排気流路３１３及び第２排気流路３１４から効率的に排気を行うことができる。
【００１９】
また、収納部３１の載置部３１１において、第１排気流路３１３及び第２排気流路３１４の開口部に連なる領域を下方に凹ませることによって導流部３１５を形成することにより、第１排気流路３１３及び第２排気流路３１４をより大きく形成することができ、排気の流量を増やすことができる。結果として、より効率的に放熱を促すことができる。
なお、本実施の形態において、ＩＣチップ３８１は、第１電子部品の一例である。また、電源部品３８２は、第２電子部品の一例である。また、リブ３８３は、壁部の一例である。
また、本実施の形態において、電源部品３８２よりもＩＣチップ３８１の方が、所定の期間における発熱量が大きくなる。このような場合、発熱量の大きいＩＣチップ３８１周辺から熱を吸気し、発熱量の小さい電源部品３８２に排気することができるので、熱量の平準化を図ることができる。これによって、第２筐体３を有する再生機器１の本体内の電子部品の熱を効率的に放熱できる。
【産業上の利用可能性】
【００２０】
本発明の電子機器は、ＤＶＤプレーヤー、ＤＶＤレコーダー、ＢＤプレーヤー、ＢＤレコーダー等の光ディスクの情報を読み取る機器に適用することが可能である。
【符号の説明】
【００２１】
１    再生機器
２    第１筐体
３    第２筐体
４    脚部
５    第１換気口
６    第２換気口
２１    液晶モジュール
３１    収納部
３１１    載置部
３１２    吸気流路
３１３    第１排気流路
３１４    第２排気流路
３１８    第３排気流路
３１５    導流部
３１６    境界部
３１７    凸部
３２    蓋
３３    スピンドル機構
３４    光ピックアップ
３５    外装部
３６    メカ部
３７    ダクト
３７１    外装開口部
３８１    ＩＣチップ
３８２    電源部品
３８３    リブ
Ｐ    収納空間
Ｑ    第１内部空間
Ｒ    第２内部空間
【手続補正３】
【補正対象書類名】図面
【補正対象項目名】図２
【補正方法】変更
【補正の内容】
【図２】
2010079732.tif 000020
【手続補正４】
【補正対象書類名】図面
【補正対象項目名】図３
【補正方法】変更
【補正の内容】
【図３】
2010079732.tif 000021
【手続補正５】
【補正対象書類名】図面
【補正対象項目名】図４
【補正方法】変更
【補正の内容】
【図４】
2010079732.tif 000022
【手続補正６】
【補正対象書類名】図面
【補正対象項目名】図５
【補正方法】変更
【補正の内容】
【図５】
2010079732.tif 000023
【手続補正７】
【補正対象書類名】図面
【補正対象項目名】図６
【補正方法】変更
【補正の内容】
【図６】
2010079732.tif 000024
【国際調査報告】
2010079732.tif 000025
2010079732.tif 000026